(57)【特許請求の範囲】
【請求項１】
端子金具を収容する端子収容室が所定方向に並んでなるハウジングを複数備え、複数の前記ハウジングが積層された構造をなす積層式コネクタであって、
複数の前記ハウジングのうち、いずれかの第１ハウジングが他の第２ハウジングに連結され、前記第１ハウジングにおいて前記第２ハウジングとの連結側に配置される第１対向壁部には第１凸部と第１凹部とが隣接して形成され、前記第２ハウジングにおいて前記第１ハウジングとの連結側に配置される第２対向壁部には第２凹部と第２凸部とが隣接して形成されており、
前記第１ハウジングの前記第１凸部が、前記第２ハウジングの前記第２凹部に挿入されると共に前記第２ハウジングにおける複数の前記端子収容室に跨って配置され、その跨った位置の前記端子収容室に収容される各々の前記端子金具の抜け方向への移動を規制可能とされており、
前記第２ハウジングの前記第２凸部が、前記第１ハウジングの前記第１凹部に挿入されると共に前記第１ハウジングにおける複数の前記端子収容室に跨って配置され、その跨った位置の前記端子収容室に収容される各々の前記端子金具の抜け方向への移動を規制可能とされており、
前記第１ハウジングは、前記端子収容室の並び方向である前記所定方向外側の前記第１凸部に外側で隣接する補助凹部が形成されており、
前記第２ハウジングは、前記所定方向外側の前記第２凹部に外側で隣接する補助凸部が形成されており、
前記補助凸部は、前記補助凹部に挿入されると共に、前記第１ハウジングの前記所定方向の外側に設けられた前記端子収容室に配置され、当該端子収容室に収容される前記端子金具の抜け方向への移動を規制可能とされていることを特徴とする積層式コネクタ。
【請求項２】
前記第１凸部の外面部には、弾性変形可能に構成された突起部が形成されており、
前記第１凸部が前記第２凹部に挿入された挿入状態において、前記第１凸部に形成された前記突起部が前記第２ハウジング内で引っ掛かることにより前記第２凹部に対する前記第１凸部の離脱方向の相対移動が規制されることを特徴とする請求項１に記載の積層式コネクタ。
【発明の詳細な説明】
【技術分野】
【０００１】
本発明は、積層式コネクタに関する。
【背景技術】
【０００２】
複数のコネクタハウジングを積層した構造の積層式コネクタとして、例えば、特許文献１のような技術が提案されている。特許文献１で開示された積層ジョイントコネクタは、複数の端子収容室が併設された形で接続用端子を収容するコネクタハウジングが構成され、このコネクタハウジングが複数段に積層された合体構造で挿入側コネクタが構成されている。
【先行技術文献】
【特許文献】
【０００３】
【特許文献１】特開２００４−２４１２０５号公報
【発明の概要】
【発明が解決しようとする課題】
【０００４】
ところで、特許文献１で開示される積層式コネクタ（特に、挿入側コネクタ）は、コネクタハウジングの各端子収容室に収容された各端子金具（接続用端子）を係止する上で、係止受部をランスによって係止する構造に加え、積層される相手方のコネクタハウジングに形成された２重係止リブによっても係止するような二重の係止構造を採用している。しかしながら、特許文献１の積層式コネクタは、１つの端子収容室に１つの２重係止リブが挿入される構成であり、各端子収容室のサイズに合わせて各リブを小さめに形成しなければならない構成であるため、リブの幅を大きく確保しにくく、リブの強度を高めにくいという懸念がある。特に、コネクタの全体サイズや端子サイズの小型化等に起因して端子収容室のサイズが小さくなると、この懸念がより大きくなる。
【０００５】
本発明は上述した事情に基づいてなされ、ハウジングに収容される端子金具を、積層される他のハウジングの一部によって規制することができ、且つその規制部分の強度を高めやすい構成を提供することを目的とする。
【課題を解決するための手段】
【０００６】
本発明は、端子金具を収容する端子収容室が所定方向に並んでなるハウジングを複数備え、複数の前記ハウジングが積層された構造をなす積層式コネクタであって、複数の前記ハウジングのうち、いずれかの第１ハウジングが他の第２ハウジングに連結され、前記第１ハウジングにおいて前記第２ハウジングとの連結側に配置される第１対向壁部には第1凸部と第１凹部とが隣接して形成され、前記第２ハウジングにおいて前記第１ハウジングとの連結側に配置される第２対向壁部には第２凹部と第２凸部とが隣接して形成されており、前記第１ハウジングの前記第１凸部が、前記第２ハウジングの前記第２凹部に挿入されると共に前記第２ハウジングにおける複数の前記端子収容室に跨って配置され、その跨った位置の前記端子収容室に収容される各々の前記端子金具の抜け方向への移動を規制可能とされており、前記第２ハウジングの前記第２凸部が、前記第１ハウジングの前記第１凹部に挿入されると共に前記第１ハウジングにおける複数の前記端子収容室に跨って配置され、その跨った位置の前記端子収容室に収容される各々の前記端子金具の抜け方向への移動を規制可能とされており、前記第１ハウジングは、前記端子収容室の並び方向である前記所定方向外側の前記第１凸部に外側で隣接する補助凹部が形成されており、前記第２ハウジングは、前記所定方向外側の前記第２凹部に外側で隣接する補助凸部が形成されており、前記補助凸部は、前記補助凹部に挿入されると共に、前記第１ハウジングの前記所定方向の外側に設けられた前記端子収容室に配置され、当該端子収容室に収容される前記端子金具の抜け方向への移動を規制可能とされていることを特徴とする。
【発明の効果】
【０００７】
本発明は、積層式コネクタ構成する複数のハウジングにおいて、第１ハウジングの第１凸部が、第２ハウジングの第２凹部に挿入されると共に第２ハウジングにおける複数の端子収容室に跨って配置され、その跨った位置の端子収容室に収容される各々の端子金具の抜け方向への移動を規制可能とされている。この構成では、第１ハウジングの第１凸部は、第２ハウジングに形成された複数の端子収容室に跨り且つそれらに収容される複数の端子金具に作用し得るような大きな幅で構成されるため、第１凸部の強度をより高めやすくなる。特に、ハウジングや端子収容室が小サイズになっても凸部の強度が保たれやすいため、小型化が望まれる用途で有利な構造となる。
また、第２ハウジングにおいて第１ハウジングとの連結側に配置される第２対向壁部には第２凹部と第２凸部とが隣接して形成されており、第２ハウジングの第２凸部が、第１ハウジングの第１凹部に挿入されると共に第１ハウジングにおける複数の端子収容室に跨って配置され、その跨った位置の端子収容室に収容される各々の端子金具の抜け方向への移動を規制可能とされている。
このような構成により、第１ハウジングに形成された第１凸部が、第２ハウジングの端子金具を抜け止めするように機能し、第２ハウジングに形成された第２凸部が、第１ハウジングの端子金具を抜け止めするように機能することになる。つまり、互いに対向する２つのハウジングにおいて、各ハウジングに形成された凸部が相手方のハウジングの端子金具を抜け止めするようにハウジング同士が作用し合うため、両ハウジングにおいて端子金具を効率的に係止することができる。しかも、第１凸部及び第２凸部のいずれもが、相手方のハウジングにおいて複数の端子収容室に跨り、複数の端子金具を係止させ得るような大きな幅で構成されるため、いずれの凸部の強度も高めやすくなる。
【図面の簡単な説明】
【０００８】
【図１】本発明の実施例に係る積層式コネクタにおいて、第１ハウジングと第２ハウジングとが連結した状態を示す斜視図である。
【図２】図１の積層式コネクタにおいて、第１ハウジングと第２ハウジングとが分離した状態を示す斜視図である。
【図３】図１の積層式コネクタの側面図である。
【図４】図３のＡ−Ａ断面を概略的に示す断面概略図である。
【図５】図４のＢ−Ｂ断面を概略的に示す断面概略図である。
【発明を実施するための形態】
【００１１】
また、このように第１凸部と第２凸部とを設けた構成では、第１ハウジング又は第２ハウジングの少なくともいずれかを、積層式コネクタにおいて積層方向の端部に配置される端部ハウジングとして機能させると良い。このように構成すると、積層方向の端部に専用の蓋材（即ち、端子収容室を有さず、係止構造だけを備えるような蓋材等）を別途配置する必要がなくなり、部品点数の削減や小型化を図りやすくなる。
【００１２】
また、本発明は、前記第１凸部の外面部に、弾性変形可能に構成された突起部が形成されていてもよい。この場合、前記第１凸部が前記第２凹部に挿入された挿入状態において、前記第１凸部に形成された前記突起部が前記第２ハウジング内で引っ掛かることにより前記第２凹部に対する前記第１凸部の離脱方向の相対移動が規制されるような構成であることが望ましい。この構成では、端子金具を抜け止めするために第１凸部を機能させるだけでなく、その一部を嵌合構造の維持に兼用することができる。よって、ハウジング同士の連結を維持するための専用部品が存在しなくても、第１凸部と第２凹部との嵌合状態及び突起部の引っ掛かりによってハウジング同士の連結状態が安定的に保たれやすくなる。よって、ハウジングの連結を維持するための構造が大型化、複雑化しにくくなる。
【００１３】
＜実施例＞
以下、実施例を図１〜図５に基づいて説明する。
図１で示す積層式コネクタ１は、合成樹脂製のハウジング２を複数備え、これら複数のハウジング２が積層された構造をなすものである。各々のハウジング２は、端子金具４（図５）を収容する端子収容室６が所定方向に並んだ構成となっている。本実施例では、複数のハウジング２として、第１ハウジング１０と第２ハウジング２０とが用いられており、これら第１ハウジング１０と第２ハウジング２０とが互いに連結され、図１、図３〜図５のように一体的な積層式コネクタ１を構成している。なお、以下の説明では、前後方向については、図３、図５の左方を前方とし、上下方向については図３〜図５を基準とする。また、以下の説明において、幅方向とは、図４の左右方向と同義である。
【００１４】
図５で示すように、積層式コネクタ１において各々のハウジング２の内部には、前後方向に細長く、後端側が開口した形態の端子収容室６が形成されている。具体的には、図１、図２で示すように、第１ハウジング１０に複数（図１等の例では４つ）の端子収容室６が形成され、第２ハウジング２０にも複数（図１等の例では４つ）の端子収容室６が形成されている。そして、図１、図４のように、第１ハウジング１０側で幅方向に並ぶ複数の端子収容室６と、第２ハウジング２０側で幅方向に並ぶ複数の端子収容室６とによって上下二段の構造となっている。なお、各ハウジング２の幅方向は「所定方向」に相当し、上下方向及び前後方向と直交する方向となっている。
【００１５】
なお、図４は、図３のＡ−Ａ位置の切断面を概略的に示すものであるが、右端側の上下両段の端子収容室６に収容される端子金具４を二点鎖線にて概念的に示している。また、図５は、図４のＢ−Ｂ位置の切断面を概略的に示すものであるが、端子収容室６内の一部領域を側面図として示すような一部断面図となっている。また、図５では、第２ハウジング２０側のランス３を二点鎖線にて概念的に示している。
【００１６】
図５で示すように、各端子収容室６は、後端側に形成された開口部を介して端子金具４（雌端子金具）を室内に挿入し得る構造となっており、挿入された端子金具４は、図５のような状態で端子収容室６内に配置される。また、各端子収容室６の前面部には端子金具４に接続される相手端子（雄端子金具）のタブが進入するタブ進入口６Ａが形成されている。
【００１７】
各端子収容室６内に収容される端子金具４は、例えば導電性の金属板に対してプレス加工等を施すことにより所定形状に形成したものである。図５のように、いずれの端子金具４も、前端部側には角筒状の端子接続部４Ａが形成され、後端部側には電線５との接続のためのバレル部が形成されている。バレル部としては、電線芯線にかしめられるワイヤバレル４Ｂと電線被覆にかしめられるインシュレーションバレル４Ｃとが設けられている。
【００１８】
図５で示すように、各端子収容室６内には弾性的に撓み変形し得るランス３が設けられ、このランス３によって端子金具４に対する第１の係止がなされている。各ランス３は、端子収容室６の内壁部において、端子収容室６の前後方向（端子金具４の挿入方向）中央付近を基端部として、端子金具４の挿入方向に沿いつつ斜め前方へ延びた片持ち状に形成されている。例えば、上側に配置される第２ハウジング２０の各端子収容室６では、底壁部６Ｃを基端部として前方側且つ斜め上方側に延びるようにランス３が配置される。また、下側に配置される第１ハウジング１０の各端子収容室６では、上壁部６Ｂを基端部として前方側且つ斜め下方側に延びるようにランス３が配置される。そして、図５のように各々の端子金具４が端子収容室６内の正規位置まで挿入された状態では、各々のランス３が各端子接続部４Ａの後端部に引っ掛かるように係止し得る配置となり、このような係止構造によって各端子金具４を抜け止め状態で保持する。
【００１９】
更に本構成では、図２で示すように、各ハウジング２に凸部（第１凸部１４、第２凸部２４、補助凸部２９）が形成されており、これらの凸部によって端子金具４（図５）に対する二重係止がなされる。
【００２０】
図２で示すように、第１ハウジング１０において、第２ハウジング２０との連結側（即ち、上面側）に配置される第１対向壁部１２には、凸部の一例に相当する第１凸部１４が配置されている。そして、図２、図４で示すように、第１凸部１４に隣接して第１凹部１８が配置された形態で、第１凸部１４と第１凹部１８とが幅方向において交互に形成されている。
【００２１】
具体的には、図２のように、第１対向壁部１２を構成する平坦状の上面部１２Ａよりも上方側に突出する形態で２つの第１凸部１４が形成され、これら２つの第１凸部１４が間隔をあけて幅方向に並んでいる。そして、これら２つの第１凸部１４の間には、第１凸部１４の突出側とは反対側に凹む第１凹部１８が形成されている。この第１凹部１８は、平坦状の上面部１２Ａよりも下方側に凹んだ窪みとなっており、後述する第２凸部２４と嵌合するサイズとなっている。また、２つの第１凸部１４の幅方向外側には、それぞれの第１凸部１４に隣接して補助凹部１９が形成されている。この補助凹部１９も、平坦状の上面部１２Ａよりも下方側に凹んだ窪みとなっている。
【００２２】
図２で示すように、第２ハウジング２０において、第１ハウジング１０との連結側（即ち下面側）に配置される第２対向壁部２２には、凹部の一例に相当する第２凹部２８が配置されている（図４も参照）。そして、図２、図４で示すように、第２凹部２８に隣接した位置に当該第２凹部２８の凹み側とは反対側に突出する第２凸部２４が配置された形態で、第２凸部２４と第２凹部２８とが幅方向において交互に形成されている。
【００２３】
具体的には、図２のように、第２対向壁部２２を構成する平坦状の下面部２２Ａよりも上方側に凹む形態で２つの第２凹部２８が形成され、これら２つの第２凹部２８が間隔をあけて幅方向に並んでいる。これら第２凹部２８は、上述した第１凸部１４と嵌合するサイズとなっている。そして、これら２つの第２凹部２８の間には、下面部２２Ａよりも下方側に突出した形態で第２凸部２４が形成されている。また、２つの第２凹部２８の幅方向外側には、それぞれの第２凹部２８に隣接して補助凸部２９が形成されている。この補助凸部２９は、下面部２２Ａよりも下方側に突出した形態となっている。
【００２４】
このように構成される第１ハウジング１０及び第２ハウジング２０は、図２のように分離した状態から互いに近接させ、上述した凹凸を嵌合させることにより、図１のように連結される。具体的には、図４のように、第１ハウジング１０に形成された２つの第１凸部１４が、第２ハウジング２０に形成された２つの第２凹部２８にそれぞれ挿入される。また、第２ハウジング２０に形成された第２凸部２４は、第１ハウジング１０に形成された第１凹部１８に挿入され、更には、第２ハウジング２０の２つの補助凸部２９が、第１ハウジング１０の２つの補助凹部１９にそれぞれ挿入される。このような組み付けにより、図１、図３〜図５等で示すような結合状態（合体状態）となり、一体的な積層式コネクタ１が構成される。
【００２５】
図４のように、結合状態の積層式コネクタ１では、第１ハウジング１０に形成された２つの第１凸部１４がいずれも、第２ハウジング２０における複数の端子収容室６に跨って配置されると共に跨った位置の端子収容室６に収容される各々の端子金具４の抜け方向への移動を規制するように機能する。例えば、図４において左側の第１凸部１４は、第２ハウジング２０における図４左端の端子収容室６と、その右隣の端子収容室６とに跨り、それぞれの端子収容室６に収容される端子金具４（図４では図示略）と係止可能に配置され、これらの端子金具４の抜け方向への移動を規制するように機能する。なお、このときの係止構造は、図５の上段側の係止構造と同様である。また、図４において右側の第１凸部１４は、第２ハウジング２０における図４右端の端子収容室６と、その左隣の端子収容室６とに跨り、それぞれの端子収容室６に収容される端子金具４と係止可能に配置され、これらの端子金具４の抜け方向への移動を規制するように機能する。このときの係止構造も、図５の上段側の係止構造と同様である。なお、抜け方向とは、端子収容室６に収容される端子金具４が当該端子収容室６の開口（端子金具４の挿入口）に向かう方向であり、本実施例では後ろ方向を意味する。
【００２６】
図５のように、第２ハウジング２０の各端子収容室６に収容される端子金具４はいずれも、後述する係止部４Ｄが下側に位置する所定の下向き状態で配置されており、その長さ方向（前後方向）の中央部付近には、上記係止部４Ｄが後方側に面する形態で段差状に形成されている。そして、いずれの第１凸部１４も、自身が跨っている２つの端子収容室６内における両端子金具４の両係止部４Ｄに対向するように両係止部４Ｄの後方側に近接して配置される。そして、それぞれの係止部４Ｄの後方側への移動を規制（即ち、それぞれの端子金具４の後方側への移動を規制）するように機能する。
【００２７】
図４のように、第２ハウジング２０に形成された第２凸部２４は、第１ハウジング１０の幅方向中央付近に挿入され、第１ハウジング１０において幅方向中央付近に設けられた２つの端子収容室６に跨って配置される。そして、その跨った位置の端子収容室６に収容される各々の端子金具４（図４では図示略）と係止可能に配置され、これらの端子金具４の抜け方向への移動を規制するように機能する。なお、このときの係止構造は、図５の下段側の係止構造と同様である。
【００２８】
また、図４のように、第２ハウジング２０に形成された２つの補助凸部２９は、第１ハウジング１０の幅方向両端部付近にそれぞれ挿入され、第１ハウジング１０の幅方向両側にそれぞれ設けられた２つの端子収容室６にそれぞれ配置される。そして、各々の補助凸部２９は、対応する端子収容室６に収容された端子金具４と係止可能に配置され、その端子金具４の抜け方向への移動を規制するように機能する。このときの係止構造は、図５の下段側の係止構造と同様である。
【００２９】
図５のように、第１ハウジング１０の各端子収容室６に収容される端子金具４はいずれも、係止部４Ｄが上側に位置する所定の上向き状態で配置され、その長さ方向（前後方向）の中央部付近には、上記係止部４Ｄが後方側に面する形態で段差状に形成されている。そして、第２凸部２４及び補助凸部２９のいずれも、自身が位置する端子収容室６に収容された端子金具４の係止部４Ｄと対向するようにその係止部４Ｄの後方側に近接して配置され、その係止部４Ｄの後方側への移動を規制するように機能する。特に、第２凸部２４は、自身が跨っている２つの端子収容室６に収容された両端子金具４の両係止部４Ｄと対向するように両係止部４Ｄの後方側に近接して配置され、それぞれの係止部４Ｄの後方側への移動を規制（即ち、それぞれの端子金具４の後方側への移動を規制）するように機能する。
【００３０】
更に、本構成では、第１凸部１４、第２凸部２４、補助凸部２９のいずれにも、弾性変形可能に構成された突起部が形成され、各凸部が相手方の凹部に挿入された挿入状態のときには、突起部が相手方のハウジング内で引っ掛かり、相手方の凹部に対する凸部の離脱方向の相対移動を抑制するように機能する。
【００３１】
例えば、図５等で示すように、第１ハウジング１０に形成された各第１凸部１４の前面部には前側に突出する突起部１６が形成され、各第１凸部１４の後面部には後ろ側に突出する突起部１６が形成されている（図２も参照）。そして、図５のように、第１凸部１４が第２凹部２８に挿入された挿入状態のときには、第１凸部１４に形成された両突起部１６が、第２凹部２８の内壁部の前後両面にそれぞれ形成された溝部２８Ａ（図２、図４参照）内に嵌り込むようになっている。このような嵌り込みが生じるため、挿入状態のときには両突起部１６が第２ハウジング２０内で引っ掛かり（具体的には、溝部２８Ａの端部に引っ掛かり）、第２凹部２８に対する第１凸部１４の離脱方向の相対移動が抑制されることになる。このような引っ掛かりを解除するためには、突起部１６を弾性変形させる必要があるため、突起部１６を弾性変形させる強い力が加わらない限り挿入状態が安定的に維持される。
【００３２】
図２で示すように、第２ハウジング２０に形成された第２凸部２４の前面部にも、前側に突出する突起部２６が形成され、第２凸部２４の後面部には後ろ側に突出する突起部２６が形成されている。そして、図４のように第２凸部２４が第１凹部１８に挿入された挿入状態のときには、第２凸部２４に形成された２つの突起部２６が、第１凹部１８の内壁部に形成された２つの溝部１８Ａ（図２）にそれぞれ嵌り込むようになっている。また、各々の補助凸部２９の前面部と後面部にも、前側に突出する突起部２９Ａと後ろ側に突出する突起部２９Ａとがそれぞれ形成されている。なお、図２では、奥側の補助凸部２９に形成された２つの突起部２９Ａの図示は省略している。そして、各々の補助凸部２９が各々の補助凹部１９に挿入された挿入状態のときには、各補助凸部２９に形成された２つの突起部２９Ａが、各補助凹部１９の内壁部に形成された２つの溝部１９Ａにそれぞれ嵌り込むようになっている。
【００３３】
このような嵌り込みが生じるため、第２凸部２４や補助凸部２９が第１ハウジング１０内に挿入される挿入状態においても、突起部２６や突起部２９Ａが第１ハウジング１０内で引っ掛かり、第１凹部１８に対する第２凸部２４の離脱方向の相対移動や、補助凹部１９に対する補助凸部２９の離脱方向の相対移動が抑制されることになる。このような引っ掛かりを解除するためには、突起部２６や突起部２９Ａを弾性変形させる必要があるため、突起部２６や突起部２９Ａを弾性変形させる力が加わらない限り挿入状態が安定的に維持される。
【００３４】
なお、本構成では、第２ハウジング２０が積層式コネクタ１の積層方向上端部のハウジング２として構成され、その上面部には、当該積層式コネクタ１の接続対象となる相手方コネクタのハウジングと係合して係合状態をロックするための係止部を備えたロックアーム８が形成されている。一方、第１ハウジング１０は、積層式コネクタ１の積層方向下端部のハウジング２として機能する。
【００３５】
以上のような本実施例の構成によれば、第１ハウジング１０に形成された凸部（第１凸部１４）を第２ハウジング２０に形成された凹部（第２凹部２８）に挿入させるという簡易な結合構造により、ハウジング同士を連結させつつ第２ハウジング２０に収容された端子金具４の抜け止めを図ることができる。しかも、第１ハウジング１０の凸部（第１凸部１４）は、第２ハウジング２０に形成された複数の端子収容室６に跨り且つそれらに収容される複数の端子金具４に作用し得るような大きな幅で構成されるため、凸部の強度をより高めやすくなる。特に、ハウジングや端子収容室６が小サイズになっても凸部の強度が保たれやすいため、小型化が望まれる用途で有利な構造となる。
【００３６】
また、第１ハウジング１０に形成された第１凸部１４が、第２ハウジング２０の端子金具４を抜け止めするように機能し、第２ハウジング２０に形成された第２凸部２４が、第１ハウジング１０の端子金具４を抜け止めするように機能することになる。つまり、各ハウジングに形成された凸部が、相手方のハウジングの端子金具４を抜け止めするようにハウジング同士が作用し合うため、両ハウジングにおいて端子金具４を効率的に係止することができる。しかも、第１凸部１４及び第２凸部２４のいずれもが、相手方のハウジングにおいて複数の端子収容室６に跨り、複数の端子金具４を係止させ得るような大きな幅で構成されるため、いずれの凸部の強度も高めやすくなる。
【００３７】
また、このように第１凸部１４と第２凸部２４とを設けた構成では、第１ハウジング１０又は第２ハウジング２０の少なくともいずれかを、積層式コネクタ１において積層方向の端部に配置される端部ハウジングとして機能させると良い。このように構成すると、積層方向の端部に専用の蓋材（即ち、端子収容室６を有さず、係止構造だけを備えるような蓋材等）を別途配置する必要がなくなり、部品点数の削減や小型化を図りやすくなる。
【００３８】
また、本実施例では、第１凸部１４の外面部に、弾性変形可能に構成された突起部１６が形成され、第１凸部１４が第２凹部２８に挿入された挿入状態のときに突起部１６が第２ハウジング２０内で引っ掛かることにより、第２凹部２８に対する第１凸部１４の離脱方向の相対移動が抑制されるようになっている。この構成では、端子金具４を抜け止めするために凸部を機能させるだけでなく、その一部を嵌合構造の維持に兼用することができる。よって、ハウジング同士の連結を維持するための専用部品が存在しなくても、凸部と凹部との嵌合状態及び突起部の引っ掛かりによってハウジング同士の連結状態が安定的に保たれやすくなる。よって、ハウジングの連結を維持するための構造が大型化、複雑化しにくくなる。
【００３９】
また、図２のように、第１ハウジング１０側の第１凸部１４だけでなく、第２ハウジング２０側の第２凸部２４や補助凸部２９にも突起部２６や突起部２９Ａが形成され、第１凸部１４の突起部１６と同様に機能している。よって、上述した効果が一層高められる。
【００４０】
＜他の実施例＞
以下、他の実施例を簡単に説明する。
（１）上述した実施例では、第１ハウジング１０と第２ハウジング２０とが重なった二層構造の積層式コネクタを例示したが、これら以外のハウジングが積層される三層以上の構造であってもよい。
（２）第１ハウジング１０に形成された凸部が第２ハウジング２０内において３以上の端子収容室６に跨るような構成であってもよい。
（３）各々のハウジングに形成される端子収容室６の数は４に限定されず、例えば５以上であってもよい。
【符号の説明】
【００４１】
１…積層式コネクタ
２…ハウジング
４…端子金具
６…端子収容室
１０…第１ハウジング
１２…第１対向壁部
１４…第１凸部（凸部）
１６…突起部
１８…第１凹部
２０…第２ハウジング
２２…第２対向壁部
２４…第２凸部
２６…突起部
２８…第２凹部（凹部）
【図１】
0006432781.tif 000002
【図２】
0006432781.tif 000003
【図３】
0006432781.tif 000004
【図４】
0006432781.tif 000005
【図５】
0006432781.tif 000006